(57)【要約】  ハンマドリルに結合されるビット本体と；前記ビット本体に結合されるハウジングビットと；前記ハウジングビットに傾斜して昇降するように結合されて、上昇した時に、前記ビット本体の外面より回転半径が拡張し、下降された時に、前記ビット本体の外面より回転半径が縮小するウィングビットと；前記ビット本体には、前記ウィングビットとともに昇降して、前記ウィングビットが下降した時に、前記ウィングビットの上部空間を埋めるように設置される少なくとも一つのスペーサーと；を含むハンマビットである。
2010528204.tif 000002
【特許請求の範囲】
【請求項１】
ハンマドリルに結合されるビット本体と；
前記ビット本体に結合されるハウジングビットと；
前記ハウジングビットに傾斜して昇降するように結合されて、上昇した時に、前記ビット本体の外面より回転半径が拡張されて、下降した時に、前記ビット本体の外面より回転半径が縮小されるウィングビットと；
前記ビット本体には、前記ウィングビットとともに昇降して、前記ウィングビットが下降した時に前記ウィングビットの上部空間を埋めるように設置されるスペースと；を含むことを特徴とするハンマビット。
【請求項２】
前記ハウジングビットは、前記ビット本体に所定の角度に回転するように結合され、
前記ビット本体の下部には、前記ハウジングビットが所定の角度に回転した時に、前記ウィングビットが係止されて下降することを防止するストッパが形成されることを特徴とする請求項１に記載のハンマビット。
【請求項３】
前記ウィングビットの上部には、前記ハウジングビットが所定の角度に回転した時に前記ストッパが位置されて、前記ウィングビットが係止されて下降することを防止するように係止溝が形成されることを特徴とする請求項２に記載のハンマビット。
【請求項４】
前記ハウジングビットの上部には、係止溝に連結されて、前記ストッパが位置された時に前記ウィングビットが下降することができるように避難溝が形成されることを特徴とする請求項３に記載のハンマビット。
【請求項５】
前記ビット本体には、スペーサーが挿入されるように、ガイド溝が形成されることを特徴とする請求項２に記載のハンマビット。
【請求項６】
前記ハウジングビットには傾斜部が形成され、
前記ウィングビットには、前記傾斜部に対応するように、傾斜スライダが形成されることを特徴とする請求項１に記載のハンマビット。
【請求項７】
前記ハウジングビットとウィングビットの傾斜部には、前記ウィングビットが下部に落下することを防止するように係止突起が形成されることを特徴とする請求項６に記載のハンマビット。
【請求項８】
前記ビット本体には円弧形状の収容溝が形成され、
前記ハウジングビットの上部には、前記収容溝に挿入されて、所定の角度に回転することができるように、前記収容溝より小さな円弧形状の固定部が形成されることを特徴とする請求項２に記載のハンマビット。
【請求項９】
前記ビット本体には、円筒形状の収容溝が形成され、
前記ハウジングビットの上部には、前記収容溝に挿入されるように、円柱形状の固定部が形成されることを特徴とする請求項２に記載のハンマビット。
【請求項１０】
前記ビット本体及びハウジングビットには、前記ハンマドリルから空気が供給されるように少なくとも１つ以上の空気流路が形成され、
前記ウィングビットには、前記ハウジングビットが所定の角度に回転した時に、前記空気流路と連通するように、少なくとも１つ以上の排気孔が形成されることを特徴とする請求項２に記載のハンマビット。
【請求項１１】
前記ビット本体とハウジングビットの外面には、前記ハウジングビットが所定の角度に回転した時に連通されて、掘削された物質が上側に排出されるようにするスラッジ排出溝が形成されることを特徴とする請求項２に記載のハンマビット。
【請求項１２】
前記ウィングビットは、前記ハウジングビットの上側で挿入されることを特徴とする請求項１に記載のハンマビット。
【請求項１３】
前記ウィングビットは上昇した時に、前記ハウジングビットの下面と平行になることを特徴とする請求項１に記載のハンマビット。
【請求項１４】
ハンマドリルに結合されて、埋立管に挿入されるビット本体と；
前記ビット本体に結合されて、傾斜部が形成されたハウジングビットと；
前記ハウジングビットの傾斜部に対応するように傾斜部が形成され、前記ハウジングビットの傾斜部に沿って上昇すると、前記埋立管の内面より回転半径が拡大され、前記ハウジングビットの傾斜部に沿って下降すると、前記埋立管の内面より回転半径が縮小されるウィングビットと；
前記ビット本体に配置されて、前記ハウジングビットが所定の角度に回転した時に、前記ウィングビットが係止されて下降することを防止するストッパと；を含むことを特徴とするハンマビット。
【請求項１５】
前記ウィングビットの上部には、前記ハウジングビットが所定の角度に回転した時に、前記ストッパが位置されて、前記ウィングビットが係止されて下降することを防止するように係止溝が形成されることを特徴とする請求項１４に記載のハンマビット。
【請求項１６】
前記ハウジングビットの上部には、係止溝に連結されて、前記ストッパが位置された時に、前記ウィングビットの拘束が解除されるように避難溝が形成されることを特徴とする請求項１５に記載のハンマビット。
【請求項１７】
前記ビット本体には、前記ウィングビットに対応するようにガイド溝が形成され、
前記ガイド溝には、前記ウィングビットとともに昇降するように設置されて、前記ウィングビットが下降した時に、前記ウィングビットとビット本体との間の空間を埋めるスペーサーがさらに含まれることを特徴とする請求項１４に記載のハンマビット。
【請求項１８】
前記ハウジングビットとウィングビットの傾斜部には、前記ウィングビットが下部に落下することを防止するように係止突起が形成されることを特徴とする請求項１４に記載のハンマビット。
【請求項１９】
前記ビット本体には、円弧形状の収容溝が形成され、
前記ハウジングビットの上部には、前記収容溝に挿入されて、所定の角度に回転することができるように、前記収容溝より小さな円弧形状の固定部が形成されることを特徴とする請求項１４に記載のハンマビット。
【請求項２０】
前記ビット本体には円筒形状の収容溝が形成され、
前記ハウジングビットの上部には、前記収容溝に挿入されるように円柱形状の固定部が形成されることを特徴とする請求項１４に記載のハンマビット。
【請求項２１】
前記ビット本体及びハウジングビットには、前記ハンマドリルから空気が供給されるように少なくとも１つ以上の流路が形成され、
前記ウィングビットには、前記ハウジングビットが所定の角度に回転した時に、前記流路と連通するように、少なくとも１つ以上の吐出流路が形成されることを特徴とする請求項１４に記載のハンマビット。
【請求項２２】
前記ビット本体及びハウジングビットの外面には、前記ハウジングビットが所定の角度に回転した時に連通して掘削された物質が上側に排出されるようにするスラッジ排出溝が形成されることを特徴とする請求項１４に記載のハンマビット。
【請求項２３】
前記ウィングビットは、前記ハウジングビットの上側で挿入されることを特徴とする請求項１４に記載のハンマビット。
【請求項２４】
前記ウィングビットは上昇した時に前記ハウジングビットの下面と平行になることを特徴とする請求項１４に記載のハンマビット。
【発明の詳細な説明】
【技術分野】
【０００１】
本発明は地層を掘削することができるハンマビットに関する。
【背景技術】
【０００２】
一般に、ハンマビットは、地層の構造や性状を知るために地盤を試錐する装置である。前記ハンマビットは、地層の条件や掘削の深さによって、それぞれ異なる規格及び構造が適用されることができる。
【０００３】
前記ハンマビットは、埋立管を適用するか否かによって、直接掘削方法と間接掘削方法とに分けることができる。
【０００４】
前記直接掘削方法は、埋立管を使用しないで、前記ハンマドリルにハンマビットを装着して地層を掘削する。前記直接掘削方法は、地層が比較的安定していたり、掘削の深さが深くなくて、掘削された穴が崩れない所に適用できる。
【０００５】
前記間接掘削方法は、埋立管の内部に前記ハンマドリルとハンマビットを挿入した状態で地層を掘削する。この場合、前記ハンマビットが地層を掘削すれば、前記埋立管はハンマビットとともに掘削された穴に挿入される。前記間接掘削方法は、地層が比較的不安定であったり、掘削の深さが深い所に適用できる。
【０００６】
前記間接掘削方法の場合、前記ハンマビットは、前記埋立管を掘削された穴に挿入することができるように、埋立管の下部で埋立管の直径より大きく穴を掘削する。前記ハンマビットには、掘削の深さが深くなるほど、埋立管の荷重による圧力が増加することによって、前記ハンマビットにかかる負荷（ＬＯＡＤ）が増加される。
【０００７】
前記ハンマビットは、掘削の作業の時、一方向に回転することによって、前記ウィングビットは、周りの石や土にとらえられて開くことになる。この場合、前記ビット本体の枠には、各ウィングビットの折り畳み空間が多数形成され、前記ウィングビットは、所定の角度に回転するように、前記ヒンジ軸によって前記折り畳み空間に結合される。
【０００８】
また、前記ハンマビットは、掘削の完了の時に、反対方向に回転することによって、前記ハンマビットが埋立管の内径より小さくなるように、前記ウィングビットが折り畳まれる。この場合、前記ハンマビットの全体外径が埋立管の内径より小さくなるので、前記ハンマビットを埋立管を通じて回収することができる。
【０００９】
しかし、前記ハンマビットは、掘削の作業の時、ビット本体のウィングビットの折り畳み空間に、掘削された土と砕石などのスラッジが満杯になることがある。この場合、前記ハンマビットが掘削の完了の時、反対方向に回転しても、前記ウィングビットが折り畳まれなくなるので、前記ハンマビットを回収することができなかった。
【００１０】
また、前記ウィングビットは、ヒンジ軸によってビット本体に結合されるので、前記ウィングビットのヒンジ軸には、ウィングビットに加えられる荷重が集中した。また、前記ハンマビットの掘削の深さが深くなるほど、前記ウィングビットのヒンジ軸に埋立管による負荷が増加するので、前記ウィングビットの破損される蓋然性が増加した。
【００１１】
また、前記ウィングビットの破損可能性が増加するにしたがって、前記ハンマビットの掘削の深さが制限されるようになった。また、掘削の作業中に、ハンマビットが損傷した場合、ハンマビットの回収をあきらめたり、または他の所を掘削しなければならない場合もあった。
【００１２】
また、前記ハンマビットは、ビット本体に、ウィングビットをヒンジ軸によって結合させなければならないので、前記ハンマビットの組立時間及び費用が増加する。
【発明の概要】
【発明が解決しようとする課題】
【００１３】
前記諸課題を解決するための本発明は、ウィングビットが、掘削の作業の時発生するスラッジによって折り畳めなくなることを防止することができるハンマビットを提供することを目的とする。
【００１４】
本発明は、ウィングビットとビット本体の結合部に集中荷重が作用することを防止することができるハンマビットを提供することを他の目的とする。
【００１５】
さらに、本発明は、掘削の深さを増加させ、組立時間を短縮させて、組み立てを容易にすることができるハンマビットを提供することを他の目的とする。
【課題を解決するための手段】
【００１６】
本発明の一実施形態によれば、ハンマドリルに結合されるビット本体と；前記ビット本体に結合されるハウジングビットと；前記ハウジングビットに傾斜して昇降可能に結合され、上昇した時に、前記ビット本体の外面より回転半径が拡張され、下降した時に、前記ビット本体の外面より回転半径が縮小されるウィングビットと；前記ビット本体には、前記ウィングビットとともに昇降し、前記ウィングビットが下降した時に、前記ウィングビットの上部空間を埋めるように設置される少なくとも一つのスペーサーを含むハンマビットが提供される。
【００１７】
本発明の他の実施様態によれば、ハンマドリルに結合されて、埋立管に挿入されるビット本体と；前記ビット本体に結合されて、傾斜部が形成されたハウジングビットと；前記ハウジングビットの傾斜部に対応するように傾斜部が形成されて、前記ハウジングビットの傾斜部に沿って上昇されると、前記埋立管の回転半径より拡大され、前記ハウジングビットの傾斜部に沿って下降されると、前記埋立管の内面より回転半径が縮小されるウィングビットと；前記ビット本体に配置されて、前記ハウジングビットが所定の角度に回転した時に前記ウィングビットが係止されて下降することを防止するストッパと；を含むハンマビットが提供される。
【発明の効果】
【００１８】
本発明によれば、前記ウィングビットが、掘削の作業の時発生するスラッジによって折り畳めなくなることを防止することができる効果を奏する。
【００１９】
本発明によれば、前記ウィングビットとビット本体の結合部に集中荷重が作用することを防止することができる効果を奏する。
【００２０】
本発明によれば、掘削の深さを増加させ、組み立て時間を短縮させて、組み立てを容易にすることができる効果を奏する。
【００２１】
本発明の、上記の、そして、他の局面、特徴、および他の利点は添付図面とともに以下の詳細な説明から、より明確に理解されるであろう。
【図面の簡単な説明】
【００２２】
【図１】本発明に係るハンマビットを示した断面図である。
【図２】図１のハンマビットの第１実施形態を示した分解斜視図である。
【図３】図２のハンマビットのウィングビットの構造を示した斜視図である。
【図４】図３のハンマビットのウィングビットが下降した状態を示した斜視図である。
【図５】図３のハンマビットのウィングビットが下降した状態を示した断面図である。
【図６】図３のハンマビットのウィングビットが上昇した状態を示した斜視図である。
【図７】図３のハンマビットのウィングビットが上昇した状態を示した断面図である。
【図８】本発明に係るハンマビットの第２実施形態を示した分解斜視図である。
【図９】図８のハンマビットのウィングビットが上昇した状態を示した側面図である。
【図１０】本発明に係るハンマビットの第３実施形態を示した分解斜視図である。
【図１１】図１０のハンマビットのウィングビットが下降した状態を示した斜視図である。
【図１２】図１１のハンマビットのウィングビットが下降した状態でストッパの位置を示した斜視図である。
【図１３】図１１のハンマビットのウィングビットが下降した状態でストッパの位置を示した斜視図である。
【図１４】図１１のハンマビットのウィングビットが下降した状態を示した断面図である。
【図１５】図１０のハンマビットのウィングビットが上昇した状態を示した斜視図である。
【図１６】図１５のハンマビットのウィングビットが上昇した状態でストッパの位置を示した斜視図である。
【図１７】図１５のハンマビットのウィングビットが上昇した状態でストッパの位置を示した断面図である。
【図１８】図１５のハンマビットのウィングビットが上昇した状態を示した断面図である。
【図１９】本発明に係るハンマビットの第４実施形態を示した分解斜視図である。
【図２０】図１９のハンマビットのウィングビットが下降した状態を示した斜視図である。
【図２１】図２０のハンマビットのウィングビットが下降した状態でストッパの位置を示した斜視図である。
【図２２】図２０のハンマビットのウィングビットが下降した状態でストッパの位置を示した断面図である。
【図２３】図２０のハンマビットのウィングビットが下降した状態を示した断面図である。
【図２４】図１９のハンマビットのウィングビットが上昇した状態を示した斜視図である。
【図２５】図２４のハンマビットのウィングビットが上昇した状態でストッパの位置を示した斜視図である。
【図２６】図２５のハンマビットのウィングビットが上昇した状態でストッパの位置を示した断面図である。
【図２７】図２５のハンマビットのウィングビットが上昇した状態を示した断面図である。
【発明を実施するための形態】
【００２３】
本発明の典型的な実施形態について添付図面を参照しながら詳細に説明する。
【００２４】
図１は本発明に係るハンマビットを示した断面図である。
【００２５】
図１によれば、埋立管２０の内部にはハンマドリル１０が挿入される。前記ハンマドリル１０の下部にはハンマビット１００が結合される。前記ハンマドリル１０は回転することによって前記ハンマビット１００を駆動させる。前記ハンマドリル１０は、前記ハンマビット１００に空気を提供して、前記ハンマビット１００を振動させる。また、前記ハンマビット１００に空気が供給されると、前記ハンマビット１００によって掘削された土や砕石が前記埋立管２０の上側に排出される。ここで、前記ハンマドリル１０から供給された一部の空気は、前記ハンマビット１００を振動させるために用いられ、残余空気は、掘削された土と砕石を埋立管２０を通じて、地上に排出させるために用いることができる。
【００２６】
前記ハンマビット１００は、一側に回転することによって前記埋立管２０の直径より大きい穴を穿孔する。従って、前記ハンマビット１００が地層を掘削することによって、前記埋立管２０が穴の中に下降する。このような埋立管２０としては鋼管を適用することができる。
【００２７】
図２は、図１のハンマビットの第１実施形態を示した分解斜視図で、図３は図２のハンマビットのウィングビットの構造を示した斜視図である。
【００２８】
図２及び図３によれば、前記ハンマビット１００は、ビット本体１１０、ハウジングビット１２０及びウィングビット１３０を含むことができる。前記ハウジングビット１２０とウィングビット１３０の底面には、破砕突起部１０１が多数形成することができる。このような破砕突起部１０１は、耐磨耗性及び耐熱性に優れたタングステンカーバイトまたは工業用ダイヤモンドなどで形成することができる。
【００２９】
前記ビット本体１１０は、前記ハンマドリル１０に結合することができるように、結合部１１１が含まれる。前記結合部１１１は、前記ハンマドリル１０から外力を受けて回転するように、スプライン部１１２と、前記ハンマビット１００を引き上げるためのリング部１１３とを含むことができる。
【００３０】
前記スプライン部１１２は、前記ビット本体１１０の長手方向に略平衡するように多数の溝と突起を交互に形成することができる。また、前記リング部１１３は、前記スプライン部１１２の上側に段差状に形成することができる。
【００３１】
前記ビット本体１１０の下部には、ハウジングビット１２０を配置することができる。この場合、前記ハウジングビット１２０は、前記ビット本体１１０と一体に形成されたり、または別途に形成されて結合することができる。
【００３２】
前記ビット本体１１０とハウジングビット１２０の外面には、前記ハンマビット１００で噴射された空気が前記埋立管２０に吐出することができるように、スラッジ排出溝１１９を形成することができる。前記スラッジ排出溝１１９は、埋立管２０の長手方向に沿って形成することができる。
【００３３】
前記ハウジングビット１２０には、傾斜して昇降することができるように、ウィングビット１３０を設置することができる。
【００３４】
例えば、前記ハウジングビット１２０の下側には傾斜部１２２が形成され、前記ハウジングビット１２０の傾斜部１２２の両側には、傾斜ガイド１２３を突出して形成することができる。前記ハウジングビット１２０の傾斜部１２２と傾斜ガイド１２３には上下方向に沿って溝１２４が形成されることができる。
【００３５】
前記ウィングビット１３０には、前記ハウジングビット１２０の傾斜部１２２に対応するように傾斜した形態の傾斜スライダ１３１を形成することができる。前記傾斜スライダ１３１は、前記ハウジングビット１２０の両側の傾斜ガイド１２３の間に結合される。前記傾斜スライダ１３１の両側には、前記傾斜ガイド１２３に対応するように段差面部１３２を形成することができる。前記傾斜スライダ１３１と段差面部１３２には、前記ハウジングビット１２０の溝１２４に対応するようにガイド突起１３４を形成することができる。
【００３６】
前記ウィングビット１３０の傾斜スライダ１３１には、長い摺動孔１３５を形成することができる。この場合、前記摺動孔１３５は、前記ハウジングビット１２０の傾斜部１２２と対応するように傾斜して形成することができる。
【００３７】
前記ハウジングビット１２０の傾斜ガイド１２３には結合孔１２５が形成され、前記結合孔１２５には固定ピン１０５を結合することができる。この場合、前記固定ピン１０５は摺動孔１３５を貫通して設置されるので、前記ウィングビット１３０がハウジングビット１２０から抜けることを防止することができる。また、前記固定ピン１０５の両側には、止め輪１０６（ＳＮＡＰ  ＲＩＮＧ）が結合されて、前記固定ピン１０５が結合孔１２５と摺動孔１３５から抜けることを防止することができる。前記ハンマビット１００は、ウィングビット１３０をハウジングビットの傾斜部１２２に対応させた後、前記固定ピン１０５を締結すれば組み立てられるので、ハンマビット１００を容易に組み立て及び分解することができる。
【００３８】
図４は、図３のハンマビットのウィングビットが下降した状態を示した斜視図で、図５は、図３のハンマビットのウィングビットが下降した状態を示した断面図である。
【００３９】
図４及び図５によれば、前記ウィングビット１３０の上側には、前記ウィングビット１３０とともに昇降して、前記ウィングビット１３０が下降した時に、前記ウィングビット１３０の上部空間を埋めることができるように、スペーサー１４０をさらに含むことができる。この場合、前記ビット本体１１０には、前記スペーサー１４０が昇降可能になるようにガイド溝１１４を形成することができる。
【００４０】
前記スペーサー１４０は、ウィングビット１３０の上面外側をカバー可能な大きさに形成することができる。従って、前記ウィングビット１３０が下降しても、前記スペーサー１４０がウィングビット１３０の上部空間を充分に覆うので、前記ウィングビット１３０の上部空間に土や砕石のようなスラッジが入ることを防止することができる。
【００４１】
前記ビット本体１１０とハウジングビット１２０には、前記ハンマドリル１０で供給された空気が流入される供給流路１１６が形成される。前記スペーサー１４０の内部には前記スペーサー１４０が上昇した時に、前記供給流路１１６に連通するように、連結流路１４１を形成することができる。前記ウィングビット１３０には、前記ウィングビット１３０が上昇した時に、前記スペーサー１４０の連結流路１４１と連通されるように１つもしくはそれ以上の吐出流路１３７を形成することができる。この場合、前記連結流路１４１と吐出流路１３７は多数形成することができる。
【００４２】
このように構成された本発明に係るハンマビットの第１実施形態の作用について説明する。図４及び図５によれば、前記ハンマビット１００は、前記ハンマドリル１０に結合された状態で埋立管２０に挿入される。前記ウィングビット１３０は、自重によって、前記ハウジングビット１２０の傾斜部１２２に沿って下降する。この場合、前記ウィングビット１３０とハウジングビット１２０の回転半径は、前記埋立管２０の内径及び前記ビット本体１１０の回転半径より縮小される。
【００４３】
また、前記スペーサー１４０は、自重によって、ウィングビット１３０とともに下降するので、前記ウィングビット１３０の上部空間がカバーされる。従って、前記ウィングビット１３０の上部空間に土や砕石のようなスラッジが入ることを防止することができるので、前記ウィングビット１３０が地面に当接する時に、前記ウィングビット１３０が上昇しないことを防止することができる。
【００４４】
図６は、図３のハンマビットのウィングビットが上昇した状態を示した上面図で、図７は、図３のハンマビットのウィングビットが上昇した状態を示した断面図である。
【００４５】
図６及び図７によれば、前記ウィングビット１３０が地面に当接される場合、前記ウィングビット１３０が上方へ加圧されるので、前記ウィングビット１３０の傾斜スライダ１３１が前記ハウジングビット１２０の傾斜部１２２に沿って上側に上昇する。従って、前記ウィングビット１３０は、前記ビット本体１１０の外面で突出されるので、前記ウィングビット１３０の回転半径は、前記ビット本体１１０の外面及び埋立管２０の回転半径より拡大される。
【００４６】
前記ウィングビット１３０が上昇した状態で、前記ハンマビット１００が回転すると、前記ウィングビット１３０によって、前記埋立管２０の直径より大きい穴が穿孔される。従って、前記ハンマビット１００が掘削した深さだけ前記埋立管２０を地盤に挿入することができる。
【００４７】
前記ハンマドリル１０で供給された空気は、前記供給流路１１６、連結流路１４１及び吐出流路１３７、１２８を通じて前記ウィングビット１３０の下側に吐出され、前記ウィングビット１３０の下側の空気は、前記ビット本体１１０の吐出溝を通じて、掘削された土や砕石を前記埋立管２０の上側に排出させる。従って、前記ハンマドリル１０が掘削された土や砕石によって抵抗を受けることを防止することができる。
【００４８】
また、前記ハウジングビット１２０の傾斜ガイド１２３は、前記ウィングビット１３０のスライダの両側面と面接触しながら、ウィングビット１３０の両側を支持するので、前記ハウジングビット１２０とウィングビット１３０の結合強度を補強することができる。従って、前記ハンマビット１００でウィングビット１３０が損傷されることを最小化することができる。
【００４９】
一方、掘削の作業が終わったり、ハンマビット１００が摩耗した場合に、前記ハンマビット１００は回収することができる。
【００５０】
この場合、前記ビット本体１１０が引き上げられると、前記ウィングビット１３０が自重によって下部に下降するので、前記ウィングビット１３０の回転半径は、前記埋立管２０の内径より縮小される。従って、前記ハンマビット１００が上側に引き上げられて回収することができる。
【００５１】
次に、本発明に係るハンマビットの第２実施形態について説明する。
【００５２】
図８は本発明に係るハンマビットの第２実施形態を示した分解斜視図である。
【００５３】
図８によれば、前記ハンマビット２００は、ビット本体２１０の下部にハウジングビット２２０が配置される。前記ハウジングビット２２０には少なくとも２つ以上のウィングビット２３０を設置することができる。この場合、前記ハウジングビット２２０には、２つ以上の傾斜部２２２を中心部に向かって傾斜して形成することができる。
【００５４】
前記ビット本体２１０には、前記各ウィングビット２３０の上側に対応するように、ガイド溝２１４が形成され、前記各ガイド溝２１４には、前記ウィングビット２３０とともに昇降可能になるように、スペーサー２４０を結合することができる。このようなスペーサー２４０は、ウィングビット２３０とともに下降することによって、前記ウィングビット２３０の上部空間を埋める。
【００５５】
また、前記スペーサー２４０は、ウィングビット２３０の上面の外側を完全にカバー可能な大きさに形成され、前記ウィングビット２３０が下降した時に、前記ウィングビット２３０の上部空間にスラッジが入ることを防止することができる。
【００５６】
前記ビット本体２１０には、ハンマドリル２０（図１参照）で供給される空気が流動するように供給流路２１６を形成することができる。前記ハウジングビット２２０には、前記各スペーサー２４０に対応するように分岐流路２１７、２１８を形成することができる。前記各スペーサー２４０には連結流路２４１が形成され、前記各ウィングビット２３０には吐出流路２３７を形成することができる。この場合、前記連結流路２４１と吐出流路２３７は、前記スペーサー２４０とウィングビット２３０が上昇した時に、互いに連通するように形成することができる。また、前記連結流路２４１と吐出流路２３７は多数形成することができる。
【００５７】
一方、前記傾斜部２２２、スペーサー２４０及びウィングビット２３０の結合構造は、第１実施形態と実質的に同様であるので、これに関する説明は省略する。
【００５８】
図９は、図８のハンマビットのウィングビットが上昇した状態を示した側面図である。
【００５９】
図９によれば、前記ハンマビット２００は、ウィングビット２３０が地面に当接される場合上昇して、前記ハンマビット２００と埋立管２０より回転半径が増加される。従って、前記埋立管１０（図１参照）より広い穴を穿孔する。
【００６０】
この場合、前記ハンマビット２００には、ウィングビット２３０が２つ以上設置されるので、前記ウィングビット２３０が１つである場合に比べて、各ウィングビット２３０に加えられる負荷が相対的に減少する。そこで、前記ハンマビット２００は相対的に高速回転することができる。また、前記各ウィングビット２３０が損傷することを最小化することができる。
【００６１】
次に、本発明に係るハンマビットの第３実施形態について説明する。
【００６２】
図１０は、本発明に係るハンマビットの第３実施形態を示した分解斜視図である。
【００６３】
図１０によれば、前記ハンマビット３００は、ビット本体３１０、ハウジングビット３２０及びウィングビット３３０を含むことができる。前記ハウジングビット３２０とウィングビット３３０の底面には、破砕突起部３０１を多数形成することができる。このような破砕突起部３０１は、耐磨耗性及び耐熱性に優れたタングステンカーバイトまたは工業用ダイヤモンドなどで形成することができる。
【００６４】
前記ビット本体３１０は、前記ハンマドリル２０（図１参照）に結合することができるように結合部３１１が含まれる。前記結合部３１１は、前記ハンマドリル１０から外力を受けて回転するように、スプライン部３１２と、前記ハンマビット３００を引き上げるためのリング部３１３とを含むことができる。
【００６５】
前記スプライン部３１２は、前記ビット本体３１０の長手方向に略平行になるように多数の溝と突起を交互に形成することができる。また、前記リング部３１３は、前記スプライン部３１２の上側に段差状に形成することができる。
【００６６】
前記ビット本体３１０とハウジングビット３２０の外面には、前記ハンマビット３００で噴射された空気が前記埋立管１０（図１参照）に吐出することができるようにスラッジ排出溝３１９を形成することができる。前記スラッジ排出溝３１９は埋立管２０の長手方向に沿って形成することができる。
【００６７】
前記ビット本体３１０の下部には、所定の角度の範囲内で回転することができるように、ハウジングビット３２０を結合することができる。例えば、前記ビット本体３１０の下部には円弧形状の収容溝３１５が形成され、前記ハウジングビット３２０の上部には、前記ビット本体３１０の収容溝３１５に挿入することができるように、円弧形状の固定部３２１が形成することができる。この場合、前記ハウジングビット３２０の固定部３２１は、収容溝３１５より小さな円弧形状に形成されて、前記固定部３２１が前記収容溝３１５で所定の角度に回転することができるように離間される。
【００６８】
前記ビット本体３１０には、収容溝３１５を貫通することができるように、結合孔３１８が形成され、前記ハウジングビット３２０の固定部３２１には、前記収容溝３１５の結合孔３２８に対応するように縁溝３２１Ａを形成することができる。この場合、前記縁溝３２１Ａは固定部３２１の外側面に沿って形成することができる。前記ビット本体３１０の収容溝３１５に、前記ハウジングビット３２０の固定部３２１を挿入した状態で、前記結合孔３１８と縁溝３２１Ａに固定ピン３０５が設置されると、前記ハウジングビット３２０は所定の角度に回転して、前記ビット本体３１０の収容溝３１５から抜けないように設置される。この場合、前記固定ピン３０５の両側には、前記固定ピン３０５が抜けないように止め輪３０６を設置することができる。
【００６９】
前記ハウジングビット３２０には傾斜して昇降可能にウィングビット３３０を設置することができる。例えば、前記ハウジングビット３２０には傾斜部３２２が形成され、前記ハウジングビット３２０の傾斜部３２２の両側には、傾斜ガイド３２３が突出して形成される。この場合、前記傾斜部３２２は上下方向に傾斜して形成することができる。また、前記傾斜ガイド３２３は前記傾斜部３２２と略平行になるように上下方向に傾斜して形成することができる。また、前記傾斜ガイド３２３は内側を向けて突出された楔状に形成することができる。
【００７０】
前記ウィングビット３３０には、前記傾斜部３２２に対応して傾斜された形態の傾斜スライダ３３１を形成することができる。前記傾斜スライダ３３１は、前記ハウジングビット３２０の両側の傾斜ガイド３２３の間に結合される。前記傾斜スライダ３３１の両側には、前記傾斜ガイド３２３に対応するように段差面部３３２を形成することができる。前記傾斜スライダ３３１の両側面は、外側に向かうように傾斜して形成することができる。従って、前記ハウジングビット３２０の傾斜部３２２に前記ウィングビット３３０の傾斜スライダ３３１が嵌められると、前記ウィングビット３３０の係止突起３３４とハウジングビット３２０の係止突起３２６によって、前記ハウジングビット３２０の外側に前記ウィングビット３３０が抜けることを防止することができる。
【００７１】
また、前記ハウジングビット３２０の傾斜部３２２の下側には、係止突起３２６が形成され、前記ウィングビット３３０の傾斜スライダ３３１の下側には、前記ウィングビット３３０が下降した時に、前記ハウジングビット３２０の係止突起３２６に係止されるように、前記ウィングビット３３０に、係止突起３３４を形成することができる。
【００７２】
前記ビット本体３１０とハウジングビット３２０は別途に形成されるので、前記ハウジングビット３３０の上側でウィングビット３３０を結合した後、前記ハウジングビット３２０の固定部３２１を前記ビット本体３１０の収容溝３１５に固定することができる。従って、前記ビット本体３１０とハウジングビット３２０が一体に形成されて、前記ウィングビット３３０を下側で結合する構造に比べて、相対的に容易に組み立てることができる。特に、前記ハンマビット３００の重量が重いほど組立性がさらによい。
【００７３】
図１１は、図１０のハンマビットのウィングビットが下降した状態を示した斜視図で、図１２は、図１１のハンマビットのウィングビットが下降した状態でのストッパの位置を示した斜視図で、図１３は、図１１のハンマビットのウィングビットが下降した状態でのストッパの位置を示した斜視図である。
【００７４】
図１１乃至図１３によれば、前記ウィングビット３３０の上側には、前記ウィングビット３３０とともに昇降して、前記ウィングビット３３０が下降した時に、前記ウィングビット３３０の上部空間を埋めるようにスペーサー３４０をさらに含むことができる。この場合、前記ビット本体３１０には、前記スペーサー３４０が昇降可能になるようにガイド溝３１４を形成することができる。
【００７５】
前記スペーサー３４０は、ウィングビット３３０の上面をカバー可能な大きさに形成することができる。従って、前記ウィングビット３３０が下降しても、前記スペーサー３４０がウィングビット３３０の上部空間を充分にカバーするので、前記ウィングビット３３０の上部空間に土や砕石のようなスラッジが入ることを防止することができる。
【００７６】
前記ビット本体３１０の下部には、前記ビット本体３１０が所定の角度に回転した時に、前記ウィングビット３３０が係止されて下降することを防止するように、ストッパ３５０を形成することができる。前記ウィングビット３３０の上部には、前記ビット本体３１０が所定の角度に回転した時に、前記ストッパ３５０が位置する係止溝３３５を形成することができる。また、前記ハウジングビット３２０の上部には、前記係止溝３３５に連結するように、避難溝３２７を形成することができる。この場合、前記ウィングビット３３０の係止溝３３５と避難溝３２７は、前記ハウジングビット３２０が回転する時に、前記ストッパ３５０が係止溝３３５と避難溝３２７に沿って移動することができるように円弧形状に形成することができる。
【００７７】
従って、前記ハウジングビット３２０が所定の角度に回転して、前記ストッパ３５０がウィングビット３３０の係止溝３３５に位置すると、前記ウィングビット３３０が自重によって、傾斜した方向に沿って下降しようとしても、前記ストッパ３５０が係止溝３３５に係止されることによって、前記ウィングビット３３０が下降することができなくなる。例えば、前記ウィングビット３３０は、自重によって、略４５度の傾斜角に沿って下降しようとするが、前記ウィングビット３３０の係止溝３３５がストッパ３５０に係止されるので下降することができないように拘束される。
【００７８】
また、前記ハウジングビット３２０が、反対に所定の角度に回転して、前記ストッパ３５０がハウジングビット３２０の避難溝３２７に位置すると、前記ウィングビット３３０がストッパ３５０に係止されないので、前記ウィングビット３３０が自重によって下降することができる。
【００７９】
図１４は、図１１のハンマビットのウィングビットが下降した状態を示した断面図である。
【００８０】
図１４によれば、前記ビット本体３１０には、ハンマドリル１０で供給された空気が流動するように供給流路３１６を形成することができる。前記供給流路３１６は、前記スペーサー３４０及び／またはハウジングビット３２０に対応するように分岐される分岐流路３１７，３１８を含むことができる。この場合、前記スペーサー３４０及び／またはハウジングビット３２０に１つずつまたは２つずつ以上の分岐流路３１７，３１８を対応させることができる。前記ハウジングビット３２０には、前記ビット本体３１０の一部の分岐流路３１７，３１８に連結されるように、吐出流路３２８を形成することができる。この場合、前記ハウジングビット３２０の吐出流路３２８の数は、前記ハウジングビット３２０に対応する分岐流路３１８の数と同じでもよい。
【００８１】
また、前記スペーサー３４０には、前記ビット本体３１０の分岐流路３１７に対応するように、１つもしくはそれ以上の連結流路３４１を形成することができる。この場合、前記スペーサー３４０の連結流路３４１は、前記分岐流路３１７の数と同じく形成してもよい。前記ウィングビット３３０には、前記ウィングビット３３０が上昇した時に、前記スペーサー３４０の連結流路３４１と連通するように、吐出流路３３７を形成することができる。
【００８２】
従って、前記ハンマドリル１０で供給された空気は、前記ハウジングビット３２０及び／またはウィングビット３３０の下側に分けられて吐出することができる。
【００８３】
このように構成された本発明に係るハンマビット１００の第３実施形態の作用について説明する。図１１乃至図１４によれば、前記ハンマビット３００は、前記ハンマドリル１０に結合された状態で、埋立管２０に挿入される。前記ウィングビット３３０は、自重によって、前記ハウジングビット３２０の傾斜部３２２に沿って下降する。この場合、前記ウィングビット３３０とハウジングビット３２０の回転半径は、前記埋立管２０の内径及び前記ビット本体３１０の回転半径より縮小する。
【００８４】
また、前記スペーサー３４０は、自重によって、ウィングビット３３０とともに下降するので、前記ウィングビット３３０の上部空間がカバーされる。従って、前記ウィングビット３３０の上部空間に、土や砕石のようなスラッジが入ることを防止することができるので、前記ウィングビット３３０が地面に当接される時に、前記ウィングビット３３０が土や砕石にかかって上昇することができなくなることを防止することができる。
【００８５】
図１５は、図１０のハンマビットのウィングビットが上昇した状態を示した斜視図で、図１６は、図１５のハンマビットのウィングビットが上昇した状態でのストッパの位置を示した斜視図で、図１７は、図１５のハンマビットのウィングビットが上昇した状態でのストッパの位置を示した断面図で、図１８は、図１５のハンマビットのウィングビットが上昇した状態を示した断面図である。
【００８６】
図１５乃至図１８によれば、前記ウィングビット３３０が地面に当接すると、前記ウィングビット３３０が加圧されるので、前記ウィングビット３３０とスペーサー３４０が上昇する。この時、前記ハウジングビット３２０とウィングビット３３０の下面はほぼ同一平面を成す。
【００８７】
前記ハンマビット３００が一側に回転すると、前記ビット本体３１０は一側に所定の角度に回転するが、前記ハウジングビット３２０とウィングビット３３０は回転しない。この場合、前記ビット本体３１０のストッパ３５０は、前記ウィングビット３３０の係止溝３３５に移動するので、前記ウィングビット３３０がストッパ３５０に係止されて下部へ下降しないで、安定して固定されることができる。従って、前記ハウジングビット３２０とウィングビット３３０が回転しながら掘削する間に、前記ウィングビット３３０が不均一な掘削面によって上下側に離間されることを防止することができる。また、前記ウィングビット３３０がハンマドリル１０の掘削の作業の時に安定して固定されるので、前記ウィングビット３３０が損傷されることを最小化することができる。
【００８８】
また、前記ウィングビット３３０は外側に突出するので、前記ウィングビット３３０の回転半径が前記ビット本体３１０と埋立管２０の外径より拡大される。
【００８９】
また、前記ハウジングビット３２０の吐出流路３２８は、前記ビット本体３１０の一部の分岐流路３１８に連結され、前記ウィングビット３３０の吐出流路３３７は、前記スペーサー３４０の連結流路３４１及びビット本体３１０の一部の分岐流路３１７に連結される。従って、前記ハウジングビット３２０とウィングビット３３０が回転しても、前記ハウジングビット３２０とウィングビット３３０を通じて空気を吐出することができる。
【００９０】
前記ストッパ３５０は、前記ウィングビット３３０が上下方向に動くのを防止することができるので、前記ウィングビット３３０の吐出流路３３７に空気を安定的に供給するようにすることができる。従って、掘削された土と砕石が埋立管２０を通じて正常に外部に排出される。
【００９１】
前記ウィングビット３３０が上昇した状態で前記ハンマビット３００が回転すると、前記ウィングビット３３０によって前記埋立管２０の直径より大きい穴が穿孔される。従って、前記ハンマビット３００が掘削した深みだけ前記埋立管２０を地盤に挿入することができる。
【００９２】
前記ハウジングビット３２０とウィングビット３３０の吐出空気は、前記ビット本体３１０の吐出溝を通じて掘削された土や砕石とともに前記埋立管２０の上側に排出される。従って、前記ハンマドリル１０が掘削された土や砕石によって抵抗を受けないで継続的に穴を穿孔することができる。
【００９３】
また、前記ハウジングビット３２０の傾斜ガイド３２３は、前記ウィングビット３３０のスライダの両側面と面接触しながら、ウィングビット３３０を支持するので、前記ハウジングビット３２０とウィングビット３３０の結合強度を補強することができる。従って、前記ハンマビット３００でウィングビット３３０が損傷されることを最小化することができる。
【００９４】
一方、掘削の作業が終わったり、ハンマビット３００が摩耗した場合に、前記ハンマビット３００を上側に引き上げることができる。
【００９５】
図１１乃至図１４によれば、前記ハンマビット３００が掘削の作業の時と反対方向に所定の角度に回転すると、前記ビット本体３１０は反対方向に所定角度回転するが、前記ハウジングビット３２０とウィングビット３３０は回転しない。この時、前記ビット本体３１０のストッパ３５０は前記ウィングビット３３０の係止溝３３５から前記ハウジングビット３２０の避難溝３２７に移動するので、前記ウィングビット３３０の拘束が解除される。
【００９６】
そして、前記ビット本体３１０が引き上げられると、前記ウィングビット３３０が自重によって下部へ下降するので、前記ハウジングビット３２０とウィングビット３３０の回転半径は前記埋立管２０の内径より縮小する。従って、前記ハンマビット３００が上側に引き上げられて回収することができる。
【００９７】
次に、本発明に係るハンマビットの第４実施形態について説明する。
【００９８】
図１９は本発明に係るハンマビットの第４実施形態を示した分解斜視図である。
【００９９】
図１９によれば、前記ハンマビット４００は、ビット本体４１０、ハウジングビット４２０及び２つ以上のウィングビット４３０を含むことができる。前記ハウジングビット４２０と各ウィングビット４３０の底面には、破砕突起部４０１を多数形成することができる。このような破砕突起部４０１は耐磨耗性及び耐熱性に優れたタングステンカーバイトまたは工業用ダイヤモンドなどで形成することができる。
【０１００】
前記ビット本体４１０は、前記ハンマドリル１０に結合することができるように結合部４１１が含まれる。前記結合部４１１は、前記ハンマドリルから外力を受けて回転するように、スプライン部４１２と、前記ハンマビット４００を引き上げるためのリング部４１３とを含むことができる。
【０１０１】
前記スプライン部４１２は、前記ビット本体４１０の長手方向に略平行するように多数の溝と突起を交互に形成することができる。また、前記リング部４１３は、前記スプライン部４１２の上側に段差状に形成することができる。
【０１０２】
前記ビット本体４１０とハウジングビット４２０の外面には、前記ハンマビット４００で噴射された空気が前記埋立管２０に吐出することができるように、スラッジ排出溝４１９を形成することができる。前記スラッジ排出溝４１９は埋立管２０の長手方向に沿って形成することができる。
【０１０３】
前記ビット本体４１０の下部には、所定の角度の範囲内で回転することができるように、ハウジングビット４２０を結合することができる。
【０１０４】
例えば、前記ビット本体４１０の下部には略円筒形状の収容溝が形成され、前記ハウジングビット４２０の上部には、前記ビット本体４１０の収容溝に挿入することができるように、円筒形状または円柱形状の固定部４２１を形成することができる。この時、前記固定部４２１は、円筒形状または円柱形状に形成されるので、前記固定部４２１の一部に集中荷重が発生することを防止することができる。
【０１０５】
前記ビット本体４１０には収容溝を貫通するように結合孔４１５Ａが形成され、前記ハウジングビット４２０の固定部４２１には、前記収容溝の結合孔４１５Ａに対応するように縁溝４２１Ａを形成することができる。この時、前記縁溝４２１Ａは、固定部４２１の外周面に沿ってリング状に形成することができる。
【０１０６】
前記ビット本体４１０の収容溝に、前記ハウジングビット４２０の固定部４２１を挿入した状態で、前記結合孔４１５Ａと縁溝４２１Ａに固定ピン４０５が設置されると、前記ハウジングビット４２０は回転されながらも、前記ビット本体４１０の収容溝４１５から抜けないように設置される。この場合、前記固定ピン４０５の両側には、前記固定ピン４０５が抜けないように止め輪４０６を設置することができる。
【０１０７】
前記ハウジングビット４２０には、傾斜して昇降可能になるように、ウィングビット４３０を設置することができる。例えば、前記ハウジングビット４２０の両側には、２つ以上の傾斜部４２２が１８０度の位置に形成され、前記各傾斜部４２２の両側には、傾斜ガイド４２３を突出して形成することができる。この場合、前記各傾斜部４２２は、中心部に向けて傾斜して形成される。前記ハウジングビット４２０に３つの傾斜部４２２が形成される場合、前記傾斜部４２２は略１２０度の位置に形成することができる。
【０１０８】
また、前記傾斜ガイド４２３には、前記傾斜部４２２と同様に傾斜するようにガイド溝（図示せず）を形成することができる。前記各ウィングビット４３０の両側には、前記各傾斜部４２２のガイド溝に、スライド可能に結合されるように、ガイド突起（図示せず）を形成することができる。前記ウィングビット４３０のガイド突起は、前記ウィングビット４３０が外側に抜けることを防止する機能も行う。
【０１０９】
前記ウィングビット４３０には、前記傾斜部４２２に対応するように、傾斜スライダ４３１を形成することができる。前記傾斜スライダ４３１は、前記ハウジングビット４２０の両側の傾斜ガイド４２３の間に結合される。この場合、前記傾斜スライダ４３１は傾斜面状に形成することができる。
【０１１０】
また、前記ハウジングビット４２０の各傾斜部４２２の下側には、係止突起４２６が形成され、前記ウィングビット４３０の傾斜スライダ４３１の下側には、前記ウィングビット４３０が下降した時に前記ハウジングビット４２０の係止突起４２６に係止されるように係止突起４３４を形成することができる。
【０１１１】
前記ビット本体４１０とハウジングビット４２０は別途に形成されるので、前記ハウジングビット４２０の上側でウィングビット４３０を結合した後、前記ハウジングビット４２０の固定部４２１を前記ビット本体４１０の収容溝４１５に固定することができる。従って、前記ビット本体４１０とハウジングビット４２０が一体に形成されて、前記ウィングビット４３０を下側で結合する構造に比べて、相対的に容易に組み立てることができる。特に、前記ハンマビット４００の重量が重くても組立性が優秀になる。
【０１１２】
図２０は、図１９のハンマビットのウィングビットが下降した状態を示した斜視図で、図２１は、図２０のハンマビットのウィングビットが下降した状態でのストッパの位置を示した斜視図で、図２２は、図２０のハンマビットのウィングビットが下降した状態でのストッパの位置を示した断面図である。
【０１１３】
図２０乃至図２２によれば、前記各ウィングビット４３０の上側には、前記各ウィングビット４３０とともに昇降して、前記各ウィングビット４３０が下降した時に前記各ウィングビット４３０の上部空間を埋めるようにスペーサー４４０をさらに含むことができる。前記ビット本体４１０には、前記各スペーサー４４０が昇降可能になるようにガイド溝４１４をそれぞれ形成することができる。
【０１１４】
前記各スペーサー４４０は、各ウィングビット４３０の上面外側をカバー可能な大きさに形成することができる。従って、前記ウィングビット４３０が下降しても前記スペーサー４４０がウィングビット４３０の上部空間を充分にカバーするので、前記ウィングビット４３０の上部空間に土や砕石のようなスラッジが入ることを防止することができる。
【０１１５】
また、前記各ウィングビット４３０は同じ大きさに形成したり、異なる大きさに形成してもよい。この場合、前記各ウィングビット４３０が異なる大きさに形成される場合、前記各スペーサー４４０は、該当のウィングビット４３０の上面を覆うことができるように、該当のウィングビット４３０に対応する大きさに形成することができる。
【０１１６】
前記ビット本体４１０の下部には、前記ハウジングビット４２０が所定の角度に回転した時に、前記ウィングビット４３０が係止されて下降することを防止するように、ストッパ４５０を形成することができる。この場合、前記ストッパ４５０は、前記各ウィングビット４３０の数だけ形成することができる。このようなストッパ４５０は、前記ビット本体４１０の下面に一体に形成したり、または結合することができる。
【０１１７】
前記各ウィングビット４３０の上部には、前記ハウジングビット４２０が所定の角度に回転した時に、前記ストッパ４５０が位置する係止溝４３５を形成することができる。また、前記ハウジングビット４２０の上部には、前記各係止溝４３５に連結されるように、避難溝４２７をそれぞれ形成することができる。この場合、前記ウィングビット４３０の係止溝４３５と避難溝４２７は、前記ビット本体４１０が回転する時に、前記ストッパ４５０が係止溝４３５と避難溝４２７に沿って移動することができるように円弧形状に形成することができる。
【０１１８】
従って、前記ビット本体４１０が一側に所定の角度に回転して、前記各ストッパ４５０がウィングビット４３０の該当の係止溝４３５に位置すると、前記各ウィングビット４３０が、自重によって、傾斜された方向に沿って下降しようとしても、前記各ストッパ４５０が該当の係止溝４３５に係止されることによって、前記各ウィングビット４３０が下降することができなくなる。
【０１１９】
また、前記ビット本体４１０が反対に所定の角度に回転して、前記各ストッパ４５０がハウジングビット４２０の各避難溝４２７に位置すると、前記各ウィングビット４３０が該当のストッパ４５０に係止されないので、前記各ウィングビット４３０が自重によって下降することができる。
【０１２０】
前記ハウジングビット４２０のスラッジ排出溝４１９は、前記ビット本体４１０が所定の角度に反対に回転して、前記ウィングビット４３０が下降する時に、前記ビット本体４１０のスラッジ排出溝４１９とずれることになる。また、前記ハウジングビット４２０のスラッジ排出溝４２９は、前記ビット本体４１０が所定の角度に回転して、前記ウィングビット４３０が上昇する時に、前記ビット本体４１０のスラッジ排出溝４１９と連結することになる。
【０１２１】
図２３は、図２０のハンマビットのウィングビットが下降した状態を示した断面図である。
【０１２２】
図２３によれば、前記ビット本体４１０には、ハンマドリル１０で供給された空気が流動することができるように供給流路４１６を形成することができる。前記供給流路４１６は、前記各スペーサー４４０及び／またはハウジングビット４２０に対応するように分岐される分岐流路４１７、４１８を含むことができる。この場合、前記各スペーサー４４０及び／またはハウジングビット４２０に１つずつまたは２つずつ以上の分岐流路４１７、４１８を対応させることができる。
【０１２３】
前記ハウジングビット４２０には、該当の分岐流路４１７，４１８に連結するように、吐出流路４２８を形成することができる。この場合、前記ハウジングビット４２０の吐出流路４２８の数は前記ハウジングビット４２０に対応する分岐流路４１８の数と同じでもよい。
【０１２４】
前記各スペーサー４４０には、所定の数ずつの連結流路４４１を形成することができる。この場合、前記各スペーサー４４０の連結流路４４１は、前記スペーサー４４０の分岐流路４１７の数と同じく形成することができる。前記ウィングビット４３０には、前記ウィングビット４３０が上昇した時に、前記スペーサー４４０の連結流路４４１と連通するように、吐出流路４３７を形成することができる。従って、前記ハンマドリル１０で供給された空気は、前記ハウジングビット４２０とウィングビット４３０の下側に分けて吐出することができる。
【０１２５】
このように構成された本発明に係るハンマビットの第４実施形態の作用について説明する。前記ハンマビット４００は、前記ハンマドリル１０に結合された状態で埋立管２０に挿入される。前記各ウィングビット４３０は、自重によって、前記ハウジングビット４２０の各傾斜部４２２に沿って下降する。この場合、前記各ウィングビット４３０の回転半径は、前記埋立管２０の内径及び前記ビット本体４１０の回転半径より縮小する。また、この場合、前記ストッパ４５０は前記ハウジングビット４２０の避難溝４２７に位置する。
【０１２６】
また、前記各スペーサー４４０は、自重によって、該当のウィングビット４３０とともに下降するので、前記各ウィングビット４３０の上部空間がカバーされる。従って、前記各ウィングビット４３０の上部空間に土や砕石のようなスラッジが入ることを防止することができるので、前記各ウィングビット４３０が地面に当接する時に、前記各ウィングビット４３０がスラッジにかかって上昇できなくなることを防止することができる。
【０１２７】
図２４は、図１９のハンマビットのウィングビットが上昇した状態を示した斜視図で、図２５は、図２４のハンマビットのウィングビットが上昇した状態でのストッパの位置を示した斜視図であり、図２６は、図２５のハンマビットのウィングビットが上昇した状態でのストッパの位置を示した断面図で、図２７は、図２５のハンマビットのウィングビットが上昇した状態を示した断面図である。
【０１２８】
図２４乃至図２７によれば、前記各ウィングビット４３０が地面に当接すると、前記各ウィングビット４３０が加圧されるので、前記各ウィングビット４３０とスペーサー４４０が上昇する。この場合、前記ハウジングビット４２０と各ウィングビット４３０の下面はほぼ同一平面を成す。
【０１２９】
前記ハンマビット４００が一側に回転すると、前記ビット本体４１０は一側に所定の角度に回転するが、前記ハウジングビット４２０と各ウィングビット４３０は回転しない。この場合、前記ビット本体４１０の各ストッパ４５０は、該当のウィングビット４３０の係止溝４３５に移動するので、前記各ウィングビット４３０が該当のストッパ４５０に係止されて下部に下降しないで、安定して固定されることができる。
【０１３０】
従って、前記ハウジングビット４２０と各ウィングビット４３０が回転しながら掘削する間に、前記各ウィングビット４３０が不均一な掘削面によって上下方向に動くのを防止することができる。また、前記各ウィングビット４３０がハンマドリル１０の掘削の作業の時安定して固定されるので、前記各ウィングビット４３０が損傷されることを最小化することができる。
【０１３１】
また、前記各ウィングビット４３０は、ビット本体４１０及び埋立管２０の外周面より外側に突出するので、前記各ウィングビット４３０の回転半径が前記ビット本体４１０と埋立管２０の外径より拡大される。
【０１３２】
前記各ウィングビット３０の吐出流路４３７は、該当のスペーサー４４０の連結流路４４１及びビット本体４１０の一部の分岐流路４１７に連結される。また、前記ハウジングビット４２０に吐出流路４２８が形成される場合、前記ハウジングビット４２０の吐出流路４２８は、前記ビット本体４１０の一部の分岐流路４１８に連結することができる。従って、前記ビット本体４１０が前記ハウジングビット４２０及びウィングビット４３０に相対的に回転しても、前記ハウジングビット４２０及び／またはウィングビット４３０を通じて空気を吐出することができる。
【０１３３】
前記ストッパ４５０は、前記ウィングビット４３０が上下側に離間することを防止することができるので、前記ウィングビット４３０の吐出流路４３７に空気を安定的に供給することができる。従って、掘削された土及び砕石を埋立管２０を通じて正常に地上に吐出することができる。
【０１３４】
前記各ウィングビット４３０が上昇した状態で前記ハンマビット４００が回転すると、前記各ウィングビット４３０によって、前記埋立管２０の外径より大きい穴が穿孔される。従って、前記ハンマビット４００が掘削した深さだけ前記埋立管２０を地盤に挿入することができる。
【０１３５】
前記ビット本体４１０のスラッジ排出溝４１９と前記ハウジングビット４２０のスラッジ排出溝４２９が連結されるので、前記ウィングビット４３０で吐出された空気は、前記ビット本体４１０のスラッジ排出溝４２９を通じて、掘削された土や砕石とともに前記埋立管２０の上側に排出される。従って、前記ハンマドリル１０が掘削された土や砕石によって抵抗を受けないで継続的に穴を穿孔することができる。
【０１３６】
また、前記ハウジングビット４２０の傾斜ガイド４２３は、該当のウィングビット４３０の両側面と面接触しながら、ウィングビット４３０を支持するので、前記ハウジングビット４２０とウィングビット４３０の結合強度を補強することができる。従って、前記ハンマビット４００でウィングビット４３０が損傷されることを最小化することができる。
【０１３７】
一方、掘削の作業が終わったり、ハンマビット４００が摩耗した場合に、前記ハンマビット４００は上側に引き上げることができる。
【０１３８】
図２０乃至図２３によれば、前記ハンマビット４００が掘削の作業の時と反対の方向に所定の角度に回転すると、前記ビット本体４１０は、反対方向に所定の角度に回転するが、前記ハウジングビット４２０とウィングビット４３０は回転しない。この場合、前記ビット本体４１０の各ストッパ４５０は該当のウィングビット４３０の係止溝４３５から前記ハウジングビット４２０の該当の避難溝４２７に移動するので、前記各ウィングビット４３０の拘束が解除される。
【０１３９】
そして、前記ビット本体４１０が引き上げられると、前記各ウィングビット４３０が、自重によって、下部に下降するので、前記ウィングビット４３０の回転半径は前記埋立管２０の内径より縮小する。従って、前記ハンマビット４００が上側に引き上げられて回収することができる。
【０１４０】
前記実施形態では、前記ハンマビットが、埋立管が適用される間接掘削方法に適用した場合についてのみ説明したが、本発明に係るハンマビットは、埋立管が適用されない直接掘削方法にも適用することができる。それは、前記ハンマビットが掘削の時にはビット本体より大きい回転半径を有し、回収の時にはハウジングビットより小さな回転半径を有することができるのである。
【０１４１】
本発明が典型的な実施形態として示され説明される一方、添付した特許請求の範囲によって定義された発明の趣旨と範囲から逸脱せずに変更させ変化させることができるのは当業者にとって明らかであろう。
【産業上の利用可能性】
【０１４２】
本発明によれば、ハンマビットが容易に回収され、ハンマビットの損傷を最小化することができるので、産業上の利用可能性は著しく高い。
【図１】
2010528204.tif 000003
【図２】
2010528204.tif 000004
【図３】
2010528204.tif 000005
【図４】
2010528204.tif 000006
【図５】
2010528204.tif 000007
【図６】
2010528204.tif 000008
【図７】
2010528204.tif 000009
【図８】
2010528204.tif 000010
【図９】
2010528204.tif 000011
【図１０】
2010528204.tif 000012
【図１１】
2010528204.tif 000013
【図１２】
2010528204.tif 000014
【図１３】
2010528204.tif 000015
【図１４】
2010528204.tif 000016
【図１５】
2010528204.tif 000017
【図１６】
2010528204.tif 000018
【図１７】
2010528204.tif 000019
【図１８】
2010528204.tif 000020
【図１９】
2010528204.tif 000021
【図２０】
2010528204.tif 000022
【図２１】
2010528204.tif 000023
【図２２】
2010528204.tif 000024
【図２３】
2010528204.tif 000025
2010528204.tif 000026
【図２４】
2010528204.tif 000027
【図２５】
2010528204.tif 000028
【図２６】
2010528204.tif 000029
【図２７】
2010528204.tif 000030
【国際調査報告】
2010528204.tif 000031
2010528204.tif 000032